(57)【特許請求の範囲】
【請求項１】
給水温度を検知する給水サーミスタを有し、給水された水道水を給湯用熱交換器にて加熱する給湯回路と、風呂用熱交換器にて浴槽水の追い焚きを行う風呂回路と、三方弁により前記給湯回路と風呂回路とを開通・不通状態とする湯張り回路とを備え、給湯回路にて湯張り温度まで加熱した水道水を湯張り回路を経て風呂回路の浴槽に供給して湯張りを行い、湯張りが終了した後風呂回路にて追い焚きを行って浴槽水を風呂設定温度まで加熱する自動風呂湯張り運転を行う追い焚き機能付給湯機において、湯張りが開始されると同時にスタートするタイマと、該タイマの経過時間が所定時間に達した時の給水サーミスタの検知する給水温度に基づいて補正値を変更して湯張り温度を変更する補正値設定手段とを設け、前記補正値設定手段は給水サーミスタの検知する給水温度が所定値より小さい時は、初期値が湯張り温度を風呂設定温度より低い温度に変更する値である補正値を変更して湯張り温度を風呂設定温度より高い温度に変更し、給水サーミスタの検知する給水温度が所定値以上の時は、補正値を変更して湯張り温度を風呂設定温度より低い温度に変更することを特徴とする追い焚き機能付給湯機。
【発明の詳細な説明】
【０００１】
【産業上の利用分野】
この発明は、風呂の湯張りや追い焚き及び給湯を行える追い焚き機能付給湯機に関するものである。
【０００２】
【従来の技術】
従来よりこの種のものに於いては、図１のように、給水口８から給水された水道水を給湯機本体１内で燃焼部５のバーナ６の燃焼により加熱された給湯用熱交換器２で熱交換した後、ミキシング弁１３にて給水口８からの水道水の一部を混合して、給湯サーミスタ１４でその温度を検知することにより設定温度にして給湯口９から出湯する給湯回路７と、風呂の浴槽１７内の水を循環ポンプ２１により給湯機本体１内でバーナ６の燃焼により加熱された風呂用熱交換器３で熱交換した後、再び浴槽１７内へ戻し、浴槽１７内から風呂用熱交換器３に送られる浴槽水の温度を風呂サーミスタ２０が検知し、それが設定温度に達すると循環ポンプ２１を停止する風呂回路１６とを備えていた。
【０００３】
そして、給湯回路７で設定温度に調節されたお湯を浴槽１７に湯張りするために、給湯回路７と風呂回路１６とを湯張り回路２３で接続していた。
この湯張り回路２３は、回路内に電磁弁２５と、湯張りフローセンサ２６と、逆止弁２７とを備え、風呂回路１６と湯張り回路２３との接続部分には三方弁２４を設け、電磁弁２５が開くと、出湯口９と給湯サーミスタ１４との間に設けた給湯回路７と湯張り回路２３との接続部分からお湯が湯張り回路２３へ流れ、これを湯張りフローセンサ２６が検知すると三方弁２４が動作して湯張り回路２３と風呂回路１６とを開通させて、給湯回路７からのお湯を風呂回路１６へ供給して浴槽１７の湯張りを行うもので、逆止弁２７により風呂回路１６から給湯回路７へは流れないようになっているものである。
【０００４】
そして、この自動的に風呂の湯張りを行う自動風呂湯張り運転としては、例えば図５に示すように、まずリモコン３４により希望する風呂のお湯温度である風呂設定温度を設定し、それから自動風呂湯張り運転ボタン３６を操作する。（Ｓ１０１）
【０００５】
そして、湯張り回路２３の電磁弁２５が開いて、給湯用熱交換器２で熱交換され給水口８からの水道水の一部を混合して湯張り温度に調節されたお湯が湯張り回路２３へ流れ、それを湯張りフローセンサ２６が検知して三方弁２４が動作して湯張り回路２３と風呂回路１６とを開通させて、お湯が風呂回路１６に流れて湯張りが開始され（Ｓ１０２）、浴槽１７内の湯張り量が設定量に達すると（Ｓ１０３）、三方弁２４が動作して湯張り回路２３と風呂回路１６とを不通にして湯張りが終了する。（Ｓ１０４）
【０００６】
次に、風呂回路１６の循環ポンプ２１を駆動して浴槽水を風呂回路１６内で循環させ、燃焼部５の燃焼により加熱された風呂用熱交換器３により、循環される浴槽水の熱交換を行い、追い焚きを開始する。（Ｓ１０５）
【０００７】
この追い焚きは、浴槽１７内の浴槽水全体に温度ムラが生ずることがないように、浴槽水を攪拌しながら浴槽水全体の温度を風呂設定温度に調節するのに必要なもので、追い焚きを開始してから風呂回路１６内を流れる浴槽水の温度が風呂設定温度に達すると（Ｓ１０６）、循環ポンプ２１及び燃焼部５の燃焼を停止して追い焚きを終了し（Ｓ１０７）、自動風呂湯張り運転が完了していた。
【０００８】
【発明が解決しようとする課題】
ところで、この従来のものでは、冬などとても寒いときには浴槽自体の温度も低くなり、浴槽自体が冷たいために浴槽内に供給されたお湯の温度も下がり、湯張りが終了した時点で浴槽内の浴槽水温度は風呂設定温度に対してかなり低い温度になってしまう。
そのため、湯張りが終了した後の追い焚きでは、追い焚きを開始してもすぐには浴槽水温度が風呂設定温度まで上昇せず、追い焚きが終了するまで時間がかかるという欠点があった。
【０００９】
また、寒い冬に合わせて予め湯張り温度を風呂設定温度より高い温度に設定しておくと、夏など暖かいときには浴槽自体が冷たくないために、浴槽内に供給されたお湯の温度は下がらず、湯張りが終了した時点で浴槽内の浴槽水温度は風呂設定温度に対して高い温度になってしまうという欠点があった。
【００１０】
【問題点を解決するための手段】
本発明はこの点に着目し、上記欠点を解決するため、特にその構成を、給水温度を検知する給水サーミスタを有し、給水された水道水を給湯用熱交換器にて加熱する給湯回路と、風呂用熱交換器にて浴槽水の追い焚きを行う風呂回路と、三方弁により前記給湯回路と風呂回路とを開通・不通状態とする湯張り回路とを備え、給湯回路にて湯張り温度まで加熱した水道水を湯張り回路を経て風呂回路の浴槽に供給して湯張りを行い、湯張りが終了した後風呂回路にて追い焚きを行って浴槽水を風呂設定温度まで加熱する自動風呂湯張り運転を行う追い焚き機能付給湯機において、湯張りが開始されると同時にスタートするタイマと、該タイマの経過時間が所定時間に達した時の給水サーミスタの検知する給水温度に基づいて補正値を変更して湯張り温度を変更する補正値設定手段とを設け、前記補正値設定手段は給水サーミスタの検知する給水温度が所定値より小さい時は、初期値が湯張り温度を風呂設定温度より低い温度に変更する値である補正値を変更して湯張り温度を風呂設定温度より高い温度に変更し、給水サーミスタの検知する給水温度が所定値以上の時は、補正値を変更して湯張り温度を風呂設定温度より低い温度に変更するものである。
【００１１】
【作用】
まず、リモコン３４の温度設定ボタン３５を操作して、希望する風呂のお湯温度である風呂設定温度Ｔ’を設定し、それから自動風呂湯張り運転スイッチ３６を操作すると、湯張り温度Ｔ”の補正値ｔの初期値として−１℃が設定され（Ｓ１）、湯張り温度Ｔ”＝風呂設定温度Ｔ’＋補正値ｔとして湯張り温度Ｔ”が設定される。（Ｓ２）
【００１２】
それから湯張り回路２３の電磁弁２５が開いて、給湯用熱交換器２で熱交換され給水口８からの水道水の一部を混合して湯張り温度Ｔ”に調節されたお湯が湯張り回路２３へ流れ、それを湯張りフローセンサ２６が検知して三方弁２４が動作して湯張り回路２３と風呂回路１６とを開通させて、お湯が風呂回路１６に流れて湯張りが開始されると同時にタイマ３２がスタートし（Ｓ４）、タイマ３２の経過時間が１分に達した時（Ｓ５）、タイマ３２をストップする。（Ｓ６）
【００１３】
そして、この時、給水サーミスタ１２にて検知される給水温度Ｓが１０℃未満か判断し（Ｓ７）給水温度Ｓが１０℃未満の場合は、浴槽１７自体の温度が低いため湯張りのお湯の温度が低下すると判断して、補正値設定手段３３内の補正値設定表（図４）に基づいて、湯張り温度Ｔ”の補正値ｔ＝＋３℃として補正値ｔを変更し（Ｓ８）、給水温度Ｓが１０℃未満でない場合は、更に給水温度Ｓが２０℃以上か判断し（Ｓ９）、給水温度Ｓが２０℃以上の場合は、補浴槽１７自体の温度が低くないため湯張りのお湯の温度がほとんど低下しないと判断して、正値設定手段３３内の補正値設定表（図４）に基づいて、湯張り温度Ｔ”の補正値ｔ＝−１℃として補正値ｔを初期値のまま変更しない。（Ｓ１０）
【００１４】
また、ここで、給水温度Ｓが２０℃以上でない場合は、給水温度Ｓが１０℃以上２０℃未満と判断して、１０℃未満ほどではないが浴槽１７自体の温度が多少低いため湯張りのお湯の温度が少し低下すると判断して、補正値設定手段３３内の補正値設定表（図４）に基づいて、湯張り温度Ｔ”の補正値ｔ＝＋１℃として補正値ｔを変更する。（Ｓ１１）
【００１５】
そして、新たな補正値ｔに基づいて、湯張り温度Ｔ”を再設定し（Ｓ１２）、給湯回路７から湯張り回路２３を経て風呂回路１６の浴槽１７内へ供給されているお湯の温度を再設定した湯張り温度Ｔ”に調節し、浴槽１７内の湯張り量が所定の設定量に達すると（Ｓ１３）、三方弁２４が動作して湯張り回路２３と風呂回路１６とを不通にして湯張りが終了する。（Ｓ１４）
【００１６】
そして、次に風呂回路１６の循環ポンプ２１を駆動して浴槽水を風呂回路１６内で循環させ、燃焼部５の燃焼により加熱された風呂用熱交換器３により、循環される浴槽水の熱交換を行い、追い焚きを開始し（Ｓ１５）、風呂回路１６内を流れる浴槽水の温度を検知する風呂サーミスタ２０の検知温度である風呂温度Ｔが風呂設定温度Ｔ’に達すると（Ｓ１６）、循環ポンプ２１及び燃焼部５の燃焼を停止して追い焚きを終了して（Ｓ１７）、自動風呂湯張り運転を終了するもので（Ｓ１８）、浴槽１７自体の温度が季節の違い等により高低のばらつきがあっても、湯張りの開始直後にその時の給水温度Ｓに合わせて湯張り温度Ｔ”を変更するので、浴槽１７自体の温度に関係なく湯張り終了後の追い焚き時間を短くすることができるものである。
【００１７】
【実施例】
次にこの発明にかかる追い焚き機能付給湯機を図面に示された一実施例で説明する。
１は追い焚き機能付給湯機の本体で、給湯用熱交換器２及び風呂用熱交換器３とからなる熱交換器４が設けられている。
【００１８】
５は前記熱交換器４の下部に備えられた燃焼部で、石油気化式のバーナ６に送風機（図示せず）により燃焼用空気を送風すると共に、燃料ポンプ（図示せず）により燃油を供給することにより燃焼を行うものである。
【００１９】
７は給水口８から給湯用熱交換器２を経て給湯口９に至る給湯回路で、水道管１０に直結している給水口８から給水された水道水を給湯フローセンサ１１により空焚き防止のため通水検知し、給水サーミスタ１２にてその温度を検知し、給湯用熱交換器２にて熱交換した後、設定温度になるようにミキシング弁１３にて給水口８から給水された水道水の一部を混合し、給湯サーミスタ１４で出湯水の温度を検知して、給湯口８から該給湯口９に接続されている水栓（図示せず）に向けて出湯するもので、更にミキシング弁１３の下流側には断続して給湯した場合の湯温ムラを防ぐための水比例弁１５を設けたものである。
【００２０】
１６は浴槽１７から往管１８を通り、風呂用熱交換器３を経て復管１９を通って再び浴槽１７に至る風呂回路で、浴槽１７から往管１８を通って風呂用熱交換器３に流入する浴槽水の温度を検知する風呂サーミスタ２０と、往管１８と風呂用熱交換器３との間に位置して風呂回路１６内に浴槽水を循環させる循環ポンプ２１と、風呂用熱交換器３と復管１９との間に位置して、空焚き防止のため浴槽水の水流を検知する流水スイッチ２２とを備えたものである。
【００２１】
２３は一端を給湯口９と給湯サーミスタ１４との間の給湯回路７と接続し、他端を三方弁２４を介してから往管１８を通り、風呂用熱交換器３を経て復管１９を通って再び浴槽１７に循環ポンプ２１と風呂用熱交換器３との間の風呂回路１６と接続した湯張り回路で、給湯回路７と湯張り回路２３との開通及び不通は電磁弁２５の開閉により行い、風呂回路１６と湯張り回路２３との開通及び不通は三方弁２４の動作により行い、給湯回路７から供給されたお湯を湯張りフローセンサ２６により通水検知し、また、逆止弁２７にて風呂回路１６内の浴槽水が給湯回路７内に流れるのを防止しているものである。
【００２２】
２８はマイコン２９を中心とした各種駆動回路３０、電源回路３１、タイマ３２、補正値設定手段３３などからなる制御部で、リモコン３４の温度設定ボタン３５や自動風呂湯張り運転スイッチ３６等各種運転スイッチの操作により、風呂の湯張り運転や沸き上げ運転や追い焚き運転及び給湯運転を行うものである。
【００２３】
次に、自動風呂湯張り運転について、以下図３のフローチャートに従って説明する。
【００２４】
まず、リモコン３４の温度設定ボタン３５を操作して、希望する風呂のお湯温度である風呂設定温度Ｔ’を設定し、それから自動風呂湯張り運転スイッチ３６を操作すると、湯張り温度Ｔ”の補正値ｔとして−１℃を初期値として設定し、（Ｓ１）、湯張り温度Ｔ”＝風呂設定温度Ｔ’＋補正値ｔとして湯張り温度Ｔ”を設定する。（Ｓ２）
【００２５】
それから湯張り回路２３の電磁弁２５が開いて、給湯用熱交換器２で熱交換され給水口８からの水道水の一部を混合して湯張り温度Ｔ”に調節されたお湯が湯張り回路２３へ流れ、それを湯張りフローセンサ２６が検知して三方弁２４が動作して湯張り回路２３と風呂回路１６とを開通させて、お湯が風呂回路１６に流れて湯張りが開始される。（Ｓ３）
【００２６】
そして、湯張りが開始されると同時にタイマ３２がスタートし（Ｓ４）、タイマ３２の経過時間が１分に達した時（Ｓ５）、タイマ３２をストップする。（Ｓ６）
【００２７】
そして、この時、給水サーミスタ１２にて検知される給水温度Ｓが１０℃未満か判断し（Ｓ７）給水温度Ｓが１０℃未満の場合は、浴槽１７自体の温度が低いため湯張りのお湯の温度が低下すると判断して、補正値設定手段３３内の補正値設定表（図４）に基づいて、湯張り温度Ｔ”の補正値ｔ＝＋３℃として補正値ｔを変更する。（Ｓ８）
【００２８】
また、ここで、給水サーミスタ１２にて検知される給水温度Ｓが１０℃未満でない場合は、給水温度Ｓが２０℃以上か判断し（Ｓ９）、給水温度Ｓが２０℃以上の場合は、補浴槽１７自体の温度が低くないため湯張りのお湯の温度がほとんど低下しないと判断して、正値設定手段３３内の補正値設定表（図４）に基づいて、湯張り温度Ｔ”の補正値ｔ＝−１℃として補正値ｔを初期値のまま変更しない。（Ｓ１０）
【００２９】
また、ここで、給水温度Ｓが２０℃以上でない場合は、給水温度Ｓが１０℃以上２０℃未満と判断して、１０℃未満ほどではないが浴槽１７自体の温度が多少低いため湯張りのお湯の温度が少し低下すると判断して、補正値設定手段３３内の補正値設定表（図４）に基づいて、湯張り温度Ｔ”の補正値ｔ＝＋１℃として補正値ｔを変更する。（Ｓ１１）
【００３０】
そして、新たな補正値ｔに基づいて、湯張り温度Ｔ”を再設定し（Ｓ１２）、給湯回路７から湯張り回路２３を経て風呂回路１６の浴槽１７内へ供給されているお湯の温度を再設定した湯張り温度Ｔ”に調節し、浴槽１７内の湯張り量が所定の設定量に達すると（Ｓ１３）、三方弁２４が動作して湯張り回路２３と風呂回路１６とを不通にして湯張りが終了する。（Ｓ１４）
【００３１】
そして、次に風呂回路１６の循環ポンプ２１を駆動して浴槽水を風呂回路１６内で循環させ、燃焼部５の燃焼により加熱された風呂用熱交換器３により、循環される浴槽水の熱交換を行い、追い焚きを開始する。（Ｓ１５）
【００３２】
そして、風呂回路１６内を流れる浴槽水の温度を検知する風呂サーミスタ２０の検知温度である風呂温度Ｔが風呂設定温度Ｔ’に達すると（Ｓ１６）、循環ポンプ２１及び燃焼部５の燃焼を停止して追い焚きを終了し（Ｓ１７）、自動風呂湯張り運転を終了するものである。（Ｓ１８）
【００３３】
【発明の効果】
以上のように本発明は、給水温度を検知する給水サーミスタを有し、給水された水道水を給湯用熱交換器にて加熱する給湯回路と、風呂用熱交換器にて浴槽水の追い焚きを行う風呂回路と、三方弁により前記給湯回路と風呂回路とを開通・不通状態とする湯張り回路とを備え、給湯回路にて湯張り温度まで加熱した水道水を湯張り回路を経て風呂回路の浴槽に供給して湯張りを行い、湯張りが終了した後風呂回路にて追い焚きを行って浴槽水を風呂設定温度まで加熱する自動風呂湯張り運転を行う追い焚き機能付給湯機において、湯張りが開始されると同時にスタートするタイマと、該タイマの経過時間が所定時間に達した時の給水サーミスタの検知する給水温度に基づいて補正値を変更して湯張り温度を変更する補正値設定手段とを設け、前記補正値設定手段は給水サーミスタの検知する給水温度が所定値より小さい時は、初期値が湯張り温度を風呂設定温度より低い温度に変更する値である補正値を変更して湯張り温度を風呂設定温度より高い温度に変更し、給水サーミスタの検知する給水温度が所定値以上の時は、補正値を変更して湯張り温度を風呂設定温度より低い温度に変更するもので、給水温度が所定値より小さい時は補正値を変更して湯張り温度を風呂設定温度より高い温度に変更することで、冬などとても寒いときには浴槽自体の温度も低くなり、浴槽自体が冷たいために浴槽内に供給されたお湯の温度も下がり、湯張りが終了した時点で浴槽内の浴槽水温度は風呂設定温度に対してかなり低い温度になってしまうような時でも湯張り終了後の追い焚き時間を短くすることができるものである。
又給水サーミスタの検知する給水温度が所定値以上の時は補正値を変更して湯張り温度を風呂設定温度より低い温度に変更することで、浴槽内の浴槽水全体に温度ムラが生ずることがないように、浴槽水を撹拌しながら浴槽水全体の温度を風呂設定温度に調節するのに必要な追い焚きを行っても浴槽水を風呂設定温度まで加熱することができ、夏など暖かいときには浴槽自体が冷たくないために、浴槽内に供給されたお湯の温度は下がらず、湯張りが終了した時点で浴槽内の浴槽水温度は風呂設定温度に対して高い温度になってしまうことを防止できるもので、浴槽自体の温度を給湯回路の給水温度により想定して、湯張り温度の補正値を給湯回路の給水温度により更新することで、浴槽自体の温度が季節の違い等により高低のばらつきがあっても、浴槽自体の温度に関係なく湯張り終了後の追い焚き時間を短くすることができるものである。
【図面の簡単な説明】
【図１】この発明の一実施例及び従来例を付した追い焚き機能付給湯機を示す全体構成図。
【図２】この発明の一実施例を付した追い焚き機能付給湯機を示すブロック図。
【図３】同自動風呂湯張り運転のための制御を示すフローチャート図。
【図４】同補正値設定手段の補正値設定を示す補正値設定表。
【図５】従来例の自動風呂湯張り運転のための制御を示すフローチャート図。
【符号の説明】
２  給湯用熱交換器
３  風呂用熱交換器
７  給湯回路
１２  給水サーミスタ
１６  風呂回路
１７  浴槽
２３  湯張り回路
２４  三方弁
３２  タイマ
３３  補正値設定手段
【図１】
0003544299.tif 000002
【図２】
0003544299.tif 000003
【図３】
0003544299.tif 000004
【図４】
0003544299.tif 000005
【図５】
0003544299.tif 000006